(57)【特許請求の範囲】
【請求項１】
固体発光素子の端子が挿通される第一端子孔を有する回路基板と、
前記第一端子孔より小さい第二端子孔が複数形成された矩形長板状の上スペーサ片と、前記第二端子孔が複数形成された矩形長板状の下スペーサ片と、を有して、前記第一端子孔に対して当該第二端子孔を対応させた状態で前記固体発光素子と前記回路基板の間に配置されるスペーサと、
を備え、
前記上スペーサ片と前記下スペーサ片とは、前記回路基板側に板状の基板押え部と、前記基板押え部から延設されたＬ字突起と、を有する左固定部と、前記回路基板側にＬ字板状の基板固定部を有する右固定部と、により接続されることを特徴とする光源装置。
【請求項２】
固体発光素子の端子が挿通される第一端子孔を有する回路基板と、
前記第一端子孔より小さい第二端子孔が複数形成された矩形長板状の上スペーサ片と、前記第二端子孔が複数形成された矩形長板状の下スペーサ片と、を有して、前記第一端子孔に対して当該第二端子孔を対応させた状態で前記固体発光素子と前記回路基板の間に配置されるスペーサと、
を備え、
前記上スペーサ片と前記下スペーサ片とは、前記固体発光素子側に左押え板を有する左固定部と、前記固体発光素子側に右押え板を有する右固定部と、により接続されることを特徴とする光源装置。
【請求項３】
前記第二端子孔は、前記固体発光素子側の径が前記回路基板側の径より大きく形成されていることを特徴とする請求項１又は請求項２に記載の光源装置。
【請求項４】
前記第二端子孔の最大径は、前記第一端子孔の径より大きいことを特徴とする請求項１乃至請求項３の何れかに記載の光源装置。
【請求項５】
前記スペーサは、前記回路基板側に、前記第一端子孔の面積及び前記第二端子孔の面積より底面積が大きい座繰部を有することを特徴とする請求項１乃至請求項４の何れかに記載の光源装置。
【請求項６】
前記固体発光素子の一対の前記端子に対応する一対の前記第二端子孔は、一つの前記座繰部に形成されることを特徴とする請求項５に記載の光源装置。
【請求項７】
前記回路基板の片面又は両面において、前記第一端子孔の周縁にランドが形成されることを特徴とする請求項１乃至請求項６の何れかに記載の光源装置。
【請求項８】
前記第一端子孔の内壁に電極が形成されることを特徴とする請求項１乃至請求項７の何れかに記載の光源装置。
【請求項９】
前記回路基板は、複数の前記第一端子孔が形成された矩形長板状の上配線部と下配線部とを有し、
前記上配線部と前記下配線部とは、接続板により接続される、
ことを特徴とする請求項１乃至請求項８の何れかに記載の光源装置。
【請求項１０】
前記固体発光素子が配置されて前記接続板により前記回路基板が固定される固定ホルダを備えることを特徴とする請求項９に記載の光源装置。
【請求項１１】
請求項１乃至請求項１０の何れか記載の光源装置と、
前記光源装置からの光源光が照射され、画像光を形成する表示素子と、
前記表示素子から出射された前記画像光をスクリーンに投影する投影側光学系と、
前記表示素子と前記光源装置を制御する投影装置制御部と、
を有することを特徴とする投影装置。
【請求項１２】
回路基板と、複数の第二端子孔が形成された矩形長板状の上スペーサ片と下スペーサ片とを有し、固体発光素子と前記回路基板との間に配置されるスペーサと、を備え、前記上スペーサ片と前記下スペーサ片とは、前記回路基板側に板状の基板押え部と、前記基板押え部から延設されたＬ字突起と、を有する左固定部と、前記回路基板側にＬ字板状の基板固定部を有する右固定部と、により接続される光源装置の基板取付方法であって、
前記スペーサを前記回路基板に固定するスペーサ固定工程と、
前記固体発光素子の端子を、前記回路基板の第一端子孔より最少径が小さい前記スペーサの前記第二端子孔に挿通させて、前記第一端子孔に挿通させる基板固定工程と、
前記端子を前記回路基板に形成された回路と半田接合する端子接続工程と、
を含むことを特徴とする光源装置の基板取付方法。
【請求項１３】
回路基板と、複数の第二端子孔が形成された矩形長板状の上スペーサ片と下スペーサ片とを有し、固体発光素子と前記回路基板との間に配置されるスペーサと、を備え、前記上スペーサ片と前記下スペーサ片とは、前記固体発光素子側に左押え板を有する左固定部と、前記固体発光素子側に右押え板を有する右固定部と、により接続される光源装置の基板取付方法であって、
前記スペーサを前記回路基板に固定するスペーサ固定工程と、
前記固体発光素子の端子を、前記回路基板の第一端子孔より最少径が小さい前記スペーサの前記第二端子孔に挿通させて、前記第一端子孔に挿通させる基板固定工程と、
前記端子を前記回路基板に形成された回路と半田接合する端子接続工程と、
を含むことを特徴とする光源装置の基板取付方法。
【発明の詳細な説明】
【技術分野】
【０００１】
本発明は、光源装置、投影装置、光源装置の基板取付方法に関する。
【背景技術】
【０００２】
今日、パーソナルコンピュータの画面やビデオ画像、さらにメモリカード等に記憶されている画像データによる画像等をスクリーンに投影する画像投影装置として、データプロジェクタが多用されている。このプロジェクタは、光源から出射された光を、ＤＭＤ（デジタル・マイクロミラー・デバイス）と呼ばれるマイクロミラー表示素子、又は、液晶板に集光させ、スクリーン上にカラー画像を表示させるものである。
【０００３】
この投影装置であるプロジェクタは、パーソナルコンピュータやＤＶＤプレーヤーなどの映像機器の普及に伴って、業務用プレゼンテーションから家庭用に至るまで、用途が拡大している。このようなプロジェクタにおいて、従来は高輝度の放電ランプを光源とするものが主流であったが、近年、レーザダイオード等の固体発光素子や、この固体発光素子を励起光源とする蛍光板を光源として備える投影装置が種々開発されている。
【０００４】
例えば、特許文献１のプロジェクタは、整列して配置された複数のレーザ光源と、レーザ光源に対応したレンズを一体に有するレンズアレイと、レーザ光透過孔形成体とを備える。レーザ光透過孔形成体は、レーザ光源が配置されるレーザ光透過孔から、ヒートシンク側に向かう孔部を有する。各レーザ光源は、この孔部を介して、レーザ光透過孔形成体と、ヒートシンクの間に配置される回路基板に接続される。
【０００５】
特許文献１のようなプロジェクタでは、複数のレーザ光源の端子が回路基板にまとめて配線される。そのため、回路基板には、接続させるレーザ光源の個数に応じた端子孔が複数形成され、この端子孔にレーザ光源の各端子が挿入される。
【先行技術文献】
【特許文献】
【０００６】
【特許文献１】特開２０１３−１９５８４３号公報
【発明の概要】
【発明が解決しようとする課題】
【０００７】
光源素子の端子は、通常、端子孔を貫通した端子の先端側における基板面で、回路パターンと接続される。端子孔の径は、端子の挿通を容易に行うため、レーザ光源の端子よりも大きく形成される。しかし、端子孔の径が大きくなると、電気接合に用いられる半田が端子孔の中を伝って光源素子側の面に回り込み易くなり、端子同士が短絡することが考えられる。また、半田の回り込みを避けるため端子孔を小さくすると、複数の光源素子の端子を端子孔に挿通させる際の位置合わせが困難となる。
【０００８】
本発明は、以上の点に鑑み、基板の取り付けが容易な光源装置、投影装置及び光源装置の基板取付方法を提供することを目的とする。
【課題を解決するための手段】
【０００９】
本発明に係る光源装置は、固体発光素子の端子が挿通される第一端子孔を有する回路基板と、前記第一端子孔より小さい第二端子孔が複数形成された矩形長板状の上スペーサ片と、前記第二端子孔が複数形成された矩形長板状の下スペーサ片と、を有して、前記第一端子孔に対して当該第二端子孔を対応させた状態で前記固体発光素子と前記回路基板の間に配置されるスペーサと、を備え、前記上スペーサ片と前記下スペーサ片とは、前記回路基板側に板状の基板押え部と、前記基板押え部から延設されたＬ字突起と、を有する左固定部と、前記回路基板側にＬ字板状の基板固定部を有する右固定部と、により接続される。
本発明に係る他の光源装置は、固体発光素子の端子が挿通される第一端子孔を有する回路基板と、前記第一端子孔より小さい第二端子孔が複数形成された矩形長板状の上スペーサ片と、前記第二端子孔が複数形成された矩形長板状の下スペーサ片と、を有して、前記第一端子孔に対して当該第二端子孔を対応させた状態で前記固体発光素子と前記回路基板の間に配置されるスペーサと、を備え、前記上スペーサ片と前記下スペーサ片とは、前記固体発光素子側に左押え板を有する左固定部と、前記固体発光素子側に右押え板を有する右固定部と、により接続される。
【００１０】
本発明に係る投影装置は、上述の光源装置と、前記光源装置からの光源光が照射され、画像光を形成する表示素子と、前記表示素子から出射された前記画像光をスクリーンに投影する投影側光学系と、前記表示素子と前記光源装置を制御する投影装置制御部と、を有する。
【００１１】
本発明に係る光源装置の基板取付方法は、回路基板と、複数の第二端子孔が形成された矩形長板状の上スペーサ片と下スペーサ片とを有し、固体発光素子と前記回路基板との間に配置されるスペーサと、を備え、前記上スペーサ片と前記下スペーサ片とは、前記回路基板側に板状の基板押え部と、前記基板押え部から延設されたＬ字突起と、を有する左固定部と、前記回路基板側にＬ字板状の基板固定部を有する右固定部と、により接続される光源装置の基板取付方法であって、前記スペーサを前記回路基板に固定するスペーサ固定工程と、前記固体発光素子の端子を、前記回路基板の第一端子孔より最少径が小さい前記スペーサの前記第二端子孔に挿通させて、前記第一端子孔に挿通させる基板固定工程と、前記端子を前記回路基板に形成された回路と半田接合する端子接続工程と、を含む。
本発明に係る他の光源装置の基板取付方法は、回路基板と、複数の第二端子孔が形成された矩形長板状の上スペーサ片と下スペーサ片とを有し、固体発光素子と前記回路基板との間に配置されるスペーサと、を備え、前記上スペーサ片と前記下スペーサ片とは、前記固体発光素子側に左押え板を有する左固定部と、前記固体発光素子側に右押え板を有する右固定部と、により接続される光源装置の基板取付方法であって、前記スペーサを前記回路基板に固定するスペーサ固定工程と、前記固体発光素子の端子を、前記回路基板の第一端子孔より最少径が小さい前記スペーサの前記第二端子孔に挿通させて、前記第一端子孔に挿通させる基板固定工程と、前記端子を前記回路基板に形成された回路と半田接合する端子接続工程と、を含む。
【発明の効果】
【００１２】
本発明によれば、基板の取り付けが容易な光源装置、投影装置及び光源装置の基板取付方法を提供することができる。
【図面の簡単な説明】
【００１３】
【図１】本発明の実施形態に係る投影装置を示す外観斜視図である。
【図２】本発明の実施形態に係る投影装置の機能ブロックを示す図である。
【図３】本発明の実施形態に係る投影装置の内部構造を示す平面模式図である。
【図４】本発明の実施形態に係る励起光照射装置の斜視図である。
【図５】本発明の実施形態に係る励起光照射装置の分解斜視図である。
【図６】本発明の実施形態に係る基板の正面斜視図である。
【図７】本発明の実施形態に係るスペーサの斜視図であり、（ａ）は正面斜視図、（ｂ）は裏面斜視図である。
【図８】本発明の実施形態に係る固定ホルダの裏面斜視図である。
【図９】本発明の実施形態に係る励起光照射装置の図４のＩＸ−ＩＸ要部断面図である。
【図１０】本発明の実施形態に係る励起光照射装置の図４のＸ−Ｘ要部断面図である。
【図１１】本発明の実施形態に係る励起光照射装置の図４のＸＩ−ＸＩ要部断面図である。
【図１２】本発明の実施形態に係るスペーサ及び基板のみを示す一部拡大断面図であり、（ａ）は図１０のＰ部の一部拡大断面図、（ｂ）は図１１のＱ部の一部拡大断面図である。
【発明を実施するための形態】
【００１４】
以下、本発明の実施形態について図を用いて説明する。図１は、投影装置１０の外観斜視図である。なお、本実施形態において、投影装置１０における左右とは投影方向に対しての左右方向を示し、前後とは投影装置１０のスクリーン側方向及び光線束の進行方向に対しての前後方向を示す。
【００１５】
投影装置１０は、図１に示すように、略直方体形状である。投影装置１０は、筐体の前方の側板とされる正面パネル１２の側方に投影口を覆うレンズカバー１９を有する。正面パネル１２には、複数の排気孔１７が設けられる。さらに、投影装置１０は、図示しないがリモートコントローラからの制御信号を受信するＩｒ受信部を備える。
【００１６】
また、筐体の上面パネル１１には、キー／インジケータ部３７が設けられる。このキー／インジケータ部３７には、電源スイッチキーや電源のオン又はオフを報知するパワーインジケータ、投影のオン、オフを切りかえる投影スイッチキー、光源装置や表示素子又は制御回路等が過熱したときに報知をする過熱インジケータ等のキーやインジケータが配置される。
【００１７】
筐体の背面には、背面パネルにＵＳＢ端子やアナログＲＧＢ映像信号が入力される映像信号入力用のＤ−ＳＵＢ端子、Ｓ端子、ＲＣＡ端子、音声出力端子等を設ける入出力コネクタ部及び電源アダプタプラグ等の各種端子（群）２０が設けられている。背面パネルには、複数の吸気孔が形成されている。なお、図示しない筐体の側板である右側パネル、及び、図１に示した側板である左側パネル１５には、各々複数の排気孔１７が形成されている。また、左側パネル１５の背面パネル近傍の隅部には、吸気孔１８が形成されている。
【００１８】
次に、投影装置１０の投影装置制御部について、図２の機能ブロック図を用いて述べる。投影装置制御部は、制御部３８、入出力インターフェース２２、画像変換部２３、表示エンコーダ２４、表示駆動部２６等から構成される。
【００１９】
制御部３８は、投影装置１０内の各回路の動作制御を司るものであって、ＣＰＵ、各種セッティング等の動作プログラムを固定的に記憶したＲＯＭ及びワークメモリとして使用されるＲＡＭ等により構成されている。
【００２０】
そして、この投影装置制御部により、入出力コネクタ部２１から入力された各種規格の画像信号は、入出力インターフェース２２、システムバス（ＳＢ）を介して画像変換部２３で表示に適した所定のフォーマットの画像信号に統一するように変換されたあと、表示エンコーダ２４に出力される。
【００２１】
また、表示エンコーダ２４は、入力された画像信号をビデオＲＡＭ２５に展開記憶させた上でこのビデオＲＡＭ２５の記憶内容からビデオ信号を生成して表示駆動部２６に出力する。
【００２２】
表示駆動部２６は、表示素子制御部として機能するものであり、表示エンコーダ２４から出力された画像信号に対応して適宜フレームレートで空間的光変調素子（ＳＯＭ）である表示素子５１を駆動する。
【００２３】
投影装置１０は、光源装置６０から出射された光線束を、光源側光学系を介して表示素子５１に照射することにより、表示素子５１の反射光で光像を形成し、投影側光学系を介してスクリーンに画像を投影表示する。なお、この投影側光学系の可動レンズ群２３５は、レンズモータ４５によりズーム調整やフォーカス調整のための駆動が行われる。
【００２４】
画像圧縮／伸長部３１は、画像信号の輝度信号及び色差信号をＡＤＣＴ及びハフマン符号化等の処理によりデータ圧縮して着脱自在な記録媒体とされるメモリカード３２に順次書き込む記録処理を行う。
【００２５】
さらに、画像圧縮／伸長部３１は、再生モード時にメモリカード３２に記録された画像データを読み出し、一連の動画を構成する個々の画像データを１フレーム単位で伸長し、この画像データを、画像変換部２３を介して表示エンコーダ２４に出力し、メモリカード３２に記憶された画像データに基づいて動画等の表示を可能とする処理を行う。
【００２６】
そして、筐体の上面パネル１１に設けられるメインキー及びインジケータ等により構成されるキー／インジケータ部３７の操作信号は、直接に制御部３８に送出され、リモートコントローラからのキー操作信号は、Ｉｒ受信部３５で受信され、Ｉｒ処理部３６で復調されたコード信号が制御部３８に出力される。
【００２７】
なお、制御部３８にはシステムバス（ＳＢ）を介して音声処理部４７が接続されている。この音声処理部４７は、ＰＣＭ音源等の音源回路を備えており、投影モード及び再生モード時には音声データをアナログ化し、スピーカ４８を駆動して拡声放音させる。
【００２８】
また、制御部３８は、光源制御部としての光源制御回路４１を制御している。この光源制御回路４１は、画像生成時に要求される所定波長帯域の光が光源装置６０から出射されるように、励起光源や赤色光源装置から所定のタイミングで赤色、緑色及び青色の波長帯域光を発光させる個別の制御を行う。
【００２９】
さらに、制御部３８は、冷却ファン駆動制御回路４３に光源装置６０等に設けた複数の温度センサによる温度検出を行わせ、この温度検出の結果から冷却ファンの回転速度を制御させている。また、制御部３８は、冷却ファン駆動制御回路４３にタイマー等により投影装置１０本体の電源オフ後も冷却ファンの回転を持続させる、あるいは、温度センサによる温度検出の結果によっては投影装置１０本体の電源をオフにする等の制御も行う。
【００３０】
次に、この投影装置１０の内部構造について述べる。図３は、投影装置１０の内部構造を示す平面模式図である。投影装置１０は、右側パネル１４の近傍に制御回路基板２４１を備えている。この制御回路基板２４１は、電源回路ブロックや光源制御ブロック等を備えている。また、投影装置１０は、投影装置１０筐体の略中央部分に光源装置６０を備えている。光源装置６０と左側パネル１５との間には、光源側光学系１７０や投影側光学系２２０が配置されている。
【００３１】
光源装置６０は、赤色波長帯域光の光源とされる赤色光源装置１２０と、緑色波長帯域光の光源とされる緑色光源装置８０と、青色波長帯域光の光源とされる青色光源装置であると共に励起光源ともされる励起光照射装置７０と、を備える。緑色光源装置８０は、励起光照射装置７０と、蛍光板装置１００により構成される。光源装置６０は、導光光学系１４０を有する。導光光学系１４０は、緑色波長帯域光及び青色波長帯域光及び赤色波長帯域光の光線束を合わせて、光源側光学系１７０の同一光路上に導光する。
【００３２】
励起光照射装置７０は、投影装置１０筐体の右側パネル１４側に配置される。励起光照射装置７０は、背面パネル１３と光軸が平行になるよう配置された複数の固体発光素子を備える。本実施形態の固体発光素子は、青色波長帯域光を発する青色レーザダイオード７１である。また、青色レーザダイオード７１は、右側パネル１４と平行に配置されている。これら青色レーザダイオード７１は、固定ホルダ７４に固定される。また、励起光照射装置７０は、反射ミラー７６、拡散板７８、ヒートシンク８１を備える。反射ミラー７６は、各青色レーザダイオード７１からの出射光の光軸を拡散板７８に向けて９０度変換する。拡散板７８は、反射ミラー７６で反射した各青色レーザダイオード７１からの出射光を予め定められた拡散角度で拡散する。ヒートシンク８１は、青色レーザダイオード７１と右側パネル１４との間に配置される。
【００３３】
各青色レーザダイオード７１からの光路上には、青色レーザダイオード７１からの出射光の指向性を高めて平行光に変換するコリメータレンズアレイ７３が配置されている。これらコリメータレンズアレイ７３は、青色レーザダイオード７１とともに固定ホルダ７４に固定される。
【００３４】
赤色光源装置１２０は、青色レーザダイオード７１の光線束と光軸が平行となるように配置された赤色光源１２１と、赤色光源１２１からの出射光を集光する集光レンズ群１２５と、を備える。この赤色光源１２１は、赤色波長帯域光を発する固体発光素子である赤色発光ダイオードである。赤色光源装置１２０は、赤色光源装置１２０が出射する赤色波長帯域光の光軸が、蛍光板１０１から出射される緑色波長帯域光の光軸と交差するように配置される。また、赤色光源装置１２０は、赤色光源１２１の右側パネル１４側にヒートシンク１３０を備える。
【００３５】
緑色光源装置８０を構成する蛍光板装置１００は、蛍光板１０１、モータ１１０、入射側の集光レンズ群１１７、出射側の集光レンズ１１５を備える。蛍光板１０１は、励起光照射装置７０からの出射光の光軸と直交するように配置された蛍光ホイールである。この蛍光板１０１はモータ１１０により回転駆動する。集光レンズ群１１７は、励起光照射装置７０から出射される励起光の光線束を蛍光板１０１に集光する。集光レンズ１１５は、蛍光板１０１から正面パネル１２方向に出射される光線束を集光する。
【００３６】
蛍光板１０１には、蛍光発光領域と拡散透過領域とが周方向に並設されている。蛍光発光領域は、青色レーザダイオード７１から出射された青色波長帯域光を励起光として受けて、励起された緑色波長帯域の蛍光光を出射する。拡散透過領域は、青色レーザダイオード７１からの出射光を拡散透過する。拡散透過した出射光は、光源装置６０の青色波長帯域光として出射される。
【００３７】
導光光学系１４０は、第一ダイクロイックミラー１４１、集光レンズ１４９、第二ダイクロイックミラー１４８、第一反射ミラー１４３、集光レンズ１４６、第二反射ミラー１４５、集光レンズ１４７を有する。第一ダイクロイックミラー１４１は、励起光照射装置７０から出射される青色波長帯域光及び蛍光板１０１から出射される緑色波長帯域光と、赤色光源装置１２０から出射される赤色波長帯域光とが交差する位置に配置される。第一ダイクロイックミラー１４１は、青色波長帯域光及び赤色波長帯域光を透過し、緑色波長帯域光を反射する。第一ダイクロイックミラー１４１で反射した緑色波長帯域光の光軸は、集光レンズ１４９に向かう左側パネル１５方向に９０度変換される。したがって、第一ダイクロイックミラー１４１を透過した赤色波長帯域光の光軸は、第一ダイクロイックミラー１４１により反射された緑色波長帯域光の光軸と一致する。
【００３８】
集光レンズ１４９は、第一ダイクロイックミラー１４１の左側パネル１５側に配置される。第一ダイクロイックミラー１４１を透過した赤色波長帯域光及び第一ダイクロイックミラー１４１により反射された緑色波長帯域光は、共に集光レンズ１４９に入射する。第二ダイクロイックミラー１４８は、集光レンズ１４９の左側パネル１５側であって、集光レンズ１４７の背面パネル１３側に配置される。第二ダイクロイックミラー１４８は、赤色波長帯域光及び緑色波長帯域光を反射し、青色波長帯域光を透過する。したがって、集光レンズ１４９で集光された赤色波長帯域光及び緑色波長帯域光は、第二ダイクロイックミラー１４８によって反射されて、第二ダイクロイックミラー１４８の背面パネル１３側に配置された集光レンズ１７３に入射する。
【００３９】
第一反射ミラー１４３は、蛍光板１０１を透過した青色波長帯域光の光軸上、つまり、集光レンズ１１５と正面パネル１２との間に配置される。第一反射ミラー１４３は、青色波長帯域光を反射して、この青色波長帯域光の光軸を左側パネル１５方向に９０度変換する。集光レンズ１４６は、第一反射ミラー１４３の左側パネル１５側に配置される。また、第二反射ミラー１４５は、集光レンズ１４６の左側パネル１５側に配置される。第二反射ミラー１４５は、第一反射ミラー１４３により反射されて、集光レンズ１４６により集光された青色波長帯域光の光軸を、背面パネル１３側に９０度変換する。集光レンズ１４７は、第二反射ミラー１４５の背面パネル１３側に配置される。第二反射ミラー１４５により反射された青色波長帯域光は、集光レンズ１４７を介して第二ダイクロイックミラー１４８を透過し、集光レンズ１７３に入射する。このようにして、導光光学系１４０により導光された赤色、緑色、青色の各波長帯域光の光線束は、光源側光学系１７０の同一光路上に導光される。
【００４０】
光源側光学系１７０は、集光レンズ１７３、ライトトンネル１７５、集光レンズ１７８、光軸変換ミラー１７９、集光レンズ１８３、照射ミラー１８５、コンデンサレンズ１９５を備える。なお、コンデンサレンズ１９５は、コンデンサレンズ１９５の背面パネル１３側に配置される表示素子５１から出射された画像光を、投影側光学系２２０に向けて出射するため、投影側光学系２２０の一部でもある。
【００４１】
集光レンズ１７３から出射した各光線束は、ライトトンネル１７５に入射する。ライトトンネル１７５に入射される各光線束は、ライトトンネル１７５により均一な強度分布の光線束となる。
【００４２】
ライトトンネル１７５の背面パネル１３側の光軸上には、集光レンズ１７８を介して、光軸変換ミラー１７９が配置されている。ライトトンネル１７５の出射口から出射した光線束は、集光レンズ１７８で集光された後、光軸変換ミラー１７９により、集光レンズ１８３に向かう光軸に変換される。
【００４３】
光軸変換ミラー１７９で反射した光線束は、集光レンズ１８３により集光された後、照射ミラー１８５により、コンデンサレンズ１９５を介して表示素子５１に所定の角度で照射される。なお、背面パネル１３側にはヒートシンク１９０が設けられている。ＤＭＤとされる表示素子５１は、このヒートシンク１９０により冷却される。
【００４４】
光源側光学系１７０により表示素子５１の画像形成面に照射された光源光である光線束は、表示素子５１の画像形成面で反射され、投影光として投影側光学系２２０を介してスクリーンに投影される。
【００４５】
投影側光学系２２０は、コンデンサレンズ１９５、可動レンズ群２３５、固定レンズ群２２５により構成される。固定レンズ群２２５は、固定鏡筒に内蔵される。可動レンズ群２３５は、可動鏡筒に内蔵され、手動又は自動により移動されることにより、ズーム調整やフォーカス調整を可能としている。
【００４６】
このような投影装置１０を構成することで、蛍光板１０１を回転させるとともに励起光照射装置７０及び赤色光源装置１２０から異なるタイミングで光が出射されると、赤色、緑色及び青色の各波長帯域光は、導光光学系１４０を介してライトトンネル１７５に入射し、さらに光源側光学系１７０を介して表示素子５１に入射する。よって、投影装置１０の表示素子５１であるＤＭＤがデータに応じて各色の光を時分割表示することにより、スクリーンにカラー画像を投影することができる。
【００４７】
図４は、励起光照射装置７０の斜視図である。図５は、励起光照射装置７０の分解斜視図である。励起光照射装置７０は、ヒートシンク８１、回路基板５０、スペーサ９０、固定ホルダ７４、コリメータレンズアレイ７３、レンズストッパ７２を有する。また、これらの部材は、後方から前方に向かってヒートシンク８１、回路基板５０、スペーサ９０、固定ホルダ７４、コリメータレンズアレイ７３、レンズストッパ７２の順に配置される。なお、励起光照射装置７０の説明では、レンズストッパ７２が配置される側を前、ヒートシンク８１が配置される側を後とする。また、図４及び図５の上側を上、その反対側を下とし、後方から前方をみた左側を左、その反対側を右とする。
【００４８】
図５において、ヒートシンク８１は、励起光照射装置７０の後方に突状のコ字枠部８１１と、コ字枠部８１１の前方の上端から上方に形成されたＬ字枠部８１２を有する。コ字枠部８１１の前方の下端からは、板状のフランジ部８１３が下方に延設される。コ字枠部８１１の中央縦板の後面からは、後方に向かってフィン８１１ａが形成される。また、コ字枠部８１１の中央縦板の前面には、載置面８１５が設けられる。Ｌ字枠部８１２の後面からは、後方に向かってフィン８１２ａが形成される。Ｌ字枠部８１２の上板からは、下方に向かってフィン８１２ｂが形成される。また、Ｌ字枠部８１２の前方端からは、下方に向かってダクト板８１４が形成される。よって、フィン８１２ｂは、ダクト板８１４とＬ字枠部８１２により形成されるコ字状の空間に形成される。
【００４９】
図６は、回路基板５０の正面斜視図である。本実施形態の回路基板５０としては、樹脂やガラスエポキシ樹脂等の絶縁材料により形成されたＰＣＢ基板が用いられる。回路基板５０は、電源接続部５２と光源接続部５３を有する。電源接続部５２は、矩形板状に形成され、前面側にコネクタ５２１を有する。コネクタ５２１は、図３の制御回路基板２４１と図示しない配線ケーブルにより接続される。電源接続部５２の光源接続部５３側の角部には、円形の固定孔５２２が形成される。
【００５０】
光源接続部５３は、左右に長手方向を有した略長方形状に形成される。光源接続部５３の上下幅は、電源接続部５２の上下幅よりも狭く形成される。光源接続部５３は、上下方向の略中央に矩形状の二つの貫通孔５３１を有する。二つの貫通孔５３１の間には、接続板５３４が配置される。接続板５３４の略中央には、回路基板５０を図５の固定ホルダ７４に固定するための円形の固定孔５３５が設けられる。貫通孔５３１は、長手方向が光源接続部５３の長手方向となるように形成される。右側の貫通孔５３１ａの右方の内縁には、矩形状の切欠部５３２ａが形成される。また、左側の貫通孔５３１ｂの左方の内縁にも、矩形状の切欠部５３２ｂが形成される。光源接続部５３には、貫通孔５３１が配置されたことにより、上配線部５３３ａと下配線部５３３ｂからなる配線部５３３が形成される。よって、上配線部５３３ａ及び下配線部５３３ｂは、左右方向に対し矩形長板状に形成される。上配線部５３３ａ及び下配線部５３３ｂは、左右方向の略中央において、上下が接続板５３４により接続される。
【００５１】
上配線部５３３ａ及び下配線部５３３ｂには、青色レーザダイオード７１に対応する第一端子孔５５が形成される。本実施形態では、第一端子孔５５は、一つの青色レーザダイオード７１に対応して二つずつ形成される。上配線部５３３ａに設けられる複数の第一端子孔５５は、光源接続部５３の長手方向の直線上に形成され、下配線部５３３ｂに設けられる複数の第一端子孔５５も、光源接続部５３の長手方向の直線上に配置される。このようにして、一対の第一端子孔５５は、上配線部５３３ａ及び下配線部５３３ｂにそれぞれ４組配置される。
【００５２】
上配線部５３３ａの上端縁には、左右に長い切欠状の切欠部５４１ａ，５４１ｂが形成される。また、下配線部５３３ｂの下端縁には、左右に長い切欠状の切欠部５４２ａ，５４２ｂが形成される。切欠部５４１ａ，５４１ｂ，５４２ａ，５４２ｂの両端縁は、凹湾曲状に形成される。上端の一方の切欠部５４１ａは、接続板５３４の上方であってやや電源接続部５２側に設けられる。また、上端の他方の切欠部５４１ｂは、切欠部５４１ａよりも電源接続部５２側に設けられる。下端の一方の切欠部５４２ａは、接続板５３４の下方であってやや電源接続部５２の反対側に設けられる。また、下端の他方の切欠部５４２ｂは、切欠部５４２ａよりも電源接続部５２の反対側に設けられる。
【００５３】
回路基板５０上には、図示しない回路パターンが形成される。コネクタ５２１と、配線部５３３に設けた各第一端子孔５５は、この回路により、電気的に接続される。本実施形態において、一つの青色レーザダイオード７１に対応する第一端子孔５５は、二つずつ近接して配置される。この二つの第一端子孔５５は、一方が正極端子用であり他方が負極端子用として利用される。第一端子孔５５の各組みは、互いに直列又は並列に接続されてコネクタ５２１を介して電源と接続される。回路基板５０は多層基板又は単層基板とすることにより、回路パターンを図６に示す回路基板５０の後面側、前面側、又は内部に設けることができる。
【００５４】
回路パターンと接続される第一端子孔５５の周囲では、回路基板５０の後面側の片面にランドが形成される。または、ランドは、回路基板５０の前面側及び後面側の両面に形成することができる。さらに、第一端子孔５５の内壁には、回路基板５０の前面側と後面側の回路と接続される電極を設けてもよい。
【００５５】
図７（ａ）は、スペーサ９０の正面斜視図である。また、図７（ｂ）はスペーサ９０の裏面斜視図である。図７（ａ）において、スペーサ９０は、左右を長手方向とした全体が矩形長板状に形成される。スペーサ９０は、長手方向に亘って中央に非干渉孔９１を有する。スペーサ９０には、この非干渉孔９１により、左右に長手方向を有した矩形長板状の上スペーサ片９２ａと下スペーサ片９２ｂとからなるスペーサ片９２が形成される。上スペーサ片９２ａ及び下スペーサ片９２ｂの左端は左固定部９３により接続される。また、上スペーサ片９２ａ及び下スぺーサ片９２ｂの右端は右固定部９４により接続される。なお、スペーサ９０は、樹脂等の絶縁材料により形成される。
【００５６】
各スペーサ片９２ａ，９２ｂには、それぞれ４箇所の端子配置部９５が形成される。端子配置部９５は、略円盤状に形成される。よって、端子配置部９５は、円周縁の上側の一部がスペーサ片９２の上方から突出し、円周縁の下側の一部がスペーサ片９２の下方から突出して形成される。端子配置部９５は、上下方向の略中央に円形の第二端子孔９５１を有する。第二端子孔９５１は、各端子配置部９５において、スペーサ９０の長手方向に二つずつ近接させて配置される。
【００５７】
また、図７（ｂ）に示すように、端子配置部９５の後面側には、スペーサ９０の長手方向に長軸を有した座繰部９５２が形成される。座繰部９５２の縁部は、後方からみた平面視において、長孔状に形成される。スペーサ９０の裏面側において、第二端子孔９５１は、座繰部９５２の底面９５３に配置される。青色レーザダイオード７１の一対の端子７１１に対応する一対の第二端子孔９５１は、一つの座繰部９５２に形成される。座繰部９５２の底面９５３と、スペーサ片９２の裏面９２１は、略平行に形成される。また、座繰部９５２は、第一端子孔５５の面積及び第二端子孔９５１の面積より、底面積（第二端子孔９５１を含む底面９５３の面積）が大きく形成される。
【００５８】
左固定部９３は、上スペーサ片９２ａの上端と下スペーサ片９２ｂ下端との幅よりも、狭い上下幅で形成される。図７（ａ）で、左固定部９３は、前方側に立設する左押え板９３１を有する。左押え板９３１は、左固定部９３の上端から下端にかけて上下方向に形成される。また、左固定部９３は、図７（ｂ）に示すように、後方側に立設する板状の基板押え部９３２を有する。基板押え部９３２は、左固定部９３の上端から下端にかけて上下方向に形成される。基板押え部９３２の後端部では、上端及び下端の各々から、Ｌ字突起９３３ａ，９３３ｂが形成される。上側のＬ字突起９３３ａは、基板押え部９３２から上方に延設された後、右方に屈曲して形成される。下側のＬ字突起９３３ｂは、基板押え部９３２から下方に延設された後、右方に屈曲して形成される。また、左固定部９３は、非干渉孔９１の左側の内縁において矩形状に形成された切欠部９３４を有する。
【００５９】
右固定部９４は、上スペーサ片９２ａの上端と下スペーサ片９２ｂの下端の幅よりも、狭い幅で形成さえる。右固定部９４は、図７（ａ）に示すように、右端部の前方側に立設する右押え板９４１を有する。右押え板９４１は、右固定部９４の上端から下端にかけて上下方向に形成される。右押え板９４１の前端面には、凹状の溝部９４２が設けられる。溝部９４２は、上下方向の略中央に設けられる。
【００６０】
また、非干渉孔９１の右側には、矩形状の貫通孔９４３が形成される。従って、非干渉孔９１と貫通孔９４３の間には、上スペーサ片９２ａと下スペーサ片９２ｂに亘る梁状に境界部９４４が形成される。境界部９４４には、図７（ｂ）に示すように、後方に立設した基板固定部９４５が形成される。基板固定部９４５の上下幅は、非干渉孔９１及び貫通孔９４３の上下幅よりも狭く形成される。基板固定部９４５は、後方端が右方に屈曲しており、上方から見た平面視においてＬ字板状に形成される（図９参照）。
【００６１】
つぎに、固定ホルダ７４について説明する。図５において、固定ホルダ７４は、左右に長軸を有した略直方体状に形成される。前方からみた正面視において、固定ホルダ７４の四隅には、固定孔７４１ａが設けられる固定溝７４１が形成される。固定孔７４１ａには、螺子８０１等の固定部材が挿通される。固定ホルダ７４とヒートシンク８１とは、その螺子８０１がヒートシンク８１の載置面８１５に設けられた螺子孔８１５ａに螺入されることにより、固定される。なお、固定ホルダ７４の下側の固定孔７４１ａに挿入される螺子８０１の頭部と、固定ホルダ７４との間には、下方端が前方側に屈曲した板バネ８０４が設けられる（図１１参照）。また、固定ホルダ７４の右端及び左端には、固定ホルダ７４の前面から後面に亘って貫通する固定孔７４２ａ，７４２ｂが形成される。右側の固定孔７４２ａは、長孔状に形成される。また、固定ホルダ７４の左右方向における略中央にも、固定ホルダ７４の前面から後面に亘って貫通する固定孔７４２ｃが形成される。固定ホルダ７４は、前面側に、青色レーザダイオード７１を挿入するための、円形溝状の光源固定部７４３を有する。本実施形態において、光源固定部７４３は２行４列のマトリクス状に配置される。
【００６２】
図８は、固定ホルダ７４の裏面斜視図である。固定ホルダ７４は、裏面側に二つの横溝７４４ａ，７４４ｂからなる横溝７４４を有する。各横溝７４４ａ，７４４ｂは、光源固定部７４３の裏面側に配置される。よって、一つの横溝７４４は、一つの行に配置された複数の光源固定部７４３と対応する。光源固定部７４３の裏面側には、横溝７４４の一部に円形溝７４４ｃが形成される。円形溝７４４ｃの上内縁は横溝７４４の上内縁より上方に位置し、円形溝７４４ｃの下内縁は横溝７４４の下内縁より下方に位置する。円形溝７４４ｃの底面７５ａには、左右に長軸を有した長孔状の貫通孔７４５が形成される。貫通孔７４５の長軸及び短軸の内径は、固定ホルダ７４の表側に設けられた光源固定部７４３の内径よりも小さく形成される。
【００６３】
上側の横溝７４４ａと下側の横溝７４４ｂの間には、固定ホルダ７４の右端部及び左端部において、右縦溝７４６ａ及び左縦溝７４６ｂが形成される。右縦溝７４６ａ及び左縦溝７４６ｂの底面７５ｂは、それぞれ座繰状に形成される。したがって、右縦溝７４６ａ及び左縦溝７４６ｂの底面７５ｂは、横溝７４４ａ，７４４ｂの底面７５ａより低い矩形状に形成される。固定ホルダ７４の右側の固定孔７４２ａは右縦溝７４６ａの底面７５ｂに設けられ、左側の固定孔７４２ｂは左縦溝７４６ｂの底面７５ｃに設けられる。
【００６４】
固定ホルダ７４の左右方向における略中央には、上側の横溝７４４ａと下側の横溝７４４ｂを凹溝状に接続する中央縦溝７４７が形成される。中央縦溝７４７の底面７５ｄは、横溝７４４ａ，７４４ｄの底面７５ａより高く形成される。また、固定ホルダ７４の表側から貫通する固定孔７４２ｃは、中央縦溝７４７の底面７５ｄに設けられる。なお、固定孔７４２ｃは、図９に示すように、底面７５ｄ側が螺子孔として形成され、固定ホルダ７４の前面側がその螺子孔より大径の貫通孔として形成される。
【００６５】
図５に戻り、コリメータレンズアレイ７３は、複数の凸状のレンズ部７３１（７３１ａ，７３１ｂ）を有して、略長方形板状に形成される。レンズ部７３１は、正面からみた位置が光源固定部７４３の位置に対応するように配置される。したがって、レンズ部７３１は、２行４列のマトリクス状に形成される。
【００６６】
レンズストッパ７２は、コリメータレンズアレイ７３をヒートシンク８１に固定するための、板状のカバーである。レンズストッパ７２は、前板７２１と側板７２２（上側の側板７２２ａ，下側の側板７２２ｂ）を有する。前板７２１には、レンズ部７３１を挿通させるための複数のレンズ孔７２３が形成される。また、レンズ孔７２３の内縁には、略矩形状の固定突起７２３ａが複数形成される。前板７２１は、左右からみた側面視において、前方に凸のコ字状に形成される。
【００６７】
側板７２２は、そのコ字状の前板７２１の上端及び下端から延設される。前板７２１と側板７２２の境界部には、左右方向の略中央において貫通孔７２４が形成される。下側の側板７２２ｂの下端には、矩形状の切欠部７２５が形成される。レンズストッパ７２は、正面から見た四隅の角部に固定孔７２６を有する。つまり、この固定孔７２６は、側板７２２ａ，７２２ｂに形成される。レンズストッパ７２は、固定孔７２６に挿通された螺子８０２等の固定部材を、ヒートシンク８１に形成された螺子孔８１３ａ，８１２ｃに螺入させることにより、コリメータレンズアレイ７３を固定する。
【００６８】
つぎに、励起光照射装置７０の各部材を組み合わせた状態について説明する。図９は、図４の励起光照射装置７０のＩＸ−ＩＸ要部断面図である。本図は、図４のコリメータレンズアレイ７３の上側の行のレンズ部７３１ａと下側の行のレンズ部７３１ｂの間の位置における横断面を示している。
【００６９】
図４に示すスペーサ９０は、回路基板５０に対し、左固定部９３及び右固定部９４により固定される。回路基板５０の光源接続部５３の左端部は、左固定部９３の後側の面９３ａと、Ｌ字突起９３３ｂの前側の面９３３ｃにより、前後方向に挟持される。また、回路基板５０の光源接続部５３の右側は、右固定部９４の後側の面９４ａと、基板固定部９４５の前側の面９４５ａにより前後方向に挟持される。Ｌ字突起９３３の後面９３３ｄ及び基板固定部９４５の後面９４５ｄは、略同一平面上に形成される。
【００７０】
回路基板５０は、螺子８０３が接続板５３４に設けられた固定孔５３５に挿通されて、中央縦溝７４７の固定孔７４２ｃに螺入されることにより、固定ホルダ７４に固定される。
【００７１】
図１０は、図４の励起光照射装置７０のＸ−Ｘ要部断面図である。本図は、図４のコリメータレンズアレイ７３の上側の行のレンズ部７３１に対応する青色レーザダイオード７１の位置における横断面を示している。スペーサ９０は、第一端子孔５５に対して第二端子孔９５１を対応させた状態で、回路基板５０と固定ホルダ７４の間に配置される。本図に示すスペーサ９０の上スペーサ片９２ａは、固定ホルダ７４の横溝７４４ａの底面７５ａに配置される。なお、図７に示す下スペーサ片９２ｂは、図８に示す固定ホルダ７４の下側の横溝７４４ｂの底面７５ａに配置される。
【００７２】
青色レーザダイオード７１は、固定ホルダ７４の前方側に形成された光源固定部７４３内に固定される。青色レーザダイオード７１の二つの端子７１１は、固定ホルダ７４の貫通孔７４５に挿通される。また、固定ホルダ７４のヒートシンク８１側において、各端子７１１は、スペーサ９０の第二端子孔９５１と回路基板５０の第一端子孔５５に挿入される。このように、青色レーザダイオード７１の端子７１１は、横溝７４４ａの円形溝７４４ｃの位置に配置される。また、端子７１１の後方側には、ヒートシンク８１の横溝８１５ｂが配置される。
【００７３】
図１１は、図４の励起光照射装置７０のＸＩ−ＸＩ要部断面図である。本図は、コリメータレンズアレイ７３の左から二つ目のレンズ部７３１に対応する青色レーザダイオード７１の、左側の端子７１１位置における縦断面を示している。図１１に示すように、上側の行に配置された青色レーザダイオード７１の端子７１１の上下位置は、貫通孔７４５、円形溝７４４ｃ、横溝８１５ｂそれぞれの略中央となるように配置される。同様に、下側の行に配置された青色レーザダイオード７１の端子７１１の上下位置は、貫通孔７４５、円形溝７４４ｃ、横溝８１５ｂそれぞれの略中央となるように配置される。
【００７４】
なお、図９に示す固定ホルダ７４をヒートシンク８１に対して固定する際、下側の固定孔７４１ａ（図８参照）に挿入される螺子８０１（図５参照）とともに板バネ８０４（図５及び図１１参照）が用いられる。板バネ８０４は前方に曲がった屈曲部８０４ａを有しており、この屈曲部８０４ａがヒートシンク８１のコ字枠部８１１の下側の内面８１１ｂに当接する。したがって、図９に示す固定ホルダ７４は、上方に付勢される。これにより、固定ホルダ７４は、コ字枠部８１１の上側の内面８１１ｃと、後方側の内面である載置面８１５に当接しながら固定される。
【００７５】
図１２（ａ）は、スペーサ９０及び回路基板５０のみを示し、図１０のＰ部の一部拡大断面図である。また、図１２（ｂ）は、スペーサ９０及び回路基板５０のみを示し、図１１のＱ部の一部拡大断面図である。なお、図１２（ａ）は、図１０に示す下から二番目の青色レーザダイオード７１の端子７１１が挿通される第二端子孔９５１及び第一端子孔５５周辺の拡大図に相当する。また、図１２（ｂ）は、図１１に示す上側の青色レーザダイオード７１の端子７１１が挿通される第二端子孔９５１及び第一端子孔５５周辺の拡大図に相当する。
【００７６】
スペーサ９０の第二端子孔９５１は、テーパ状に傾斜した丸孔として形成される。第二端子孔９５１は、青色レーザダイオード７１側（図１２（ａ）の左側）の前方口９５１ａの径が、回路基板５０側の後方口９５１ｂの径よりも大きく形成される。回路基板５０の第一端子孔５５は、丸孔として形成される。第一端子孔５５は、スペーサ９０側の前方口５５ａと、ヒートシンク８１側（図１２（ｂ）の右側）の後方口５５ｂの径が略同じに形成される。スペーサ９０の第二端子孔９５１の最小径は、回路基板５０の第一端子孔５５の径より小さく形成される。また、スペーサ９０の第二端子孔９５１の最大径は、回路基板５０の第一端子孔５５の径より大きく形成される。本実施形態の第二端子孔９５１は、テーパ状に形成されているため、スペーサ９０の第二端子孔９５１の後方口９５１ｂの径は、回路基板５０の第一端子孔５５の前方口５５ａ及び後方口５５ｂの径よりも狭く形成される。なお、第二端子孔９５１の形状は円形状に限らず、多角形状でも構わない。スペーサ９０の第二端子孔９５１の前方口９５１ａの径は、回路基板５０の第一端子孔５５の前方口５５ａ及び後方口５５ｂの径よりも広く形成される。
【００７７】
また、図１２（ｂ）において、回路基板５０の第一端子孔５５の中心位置は、スペーサ９０の第二端子孔９５１の中心位置より上方に配置される。なお、図１１に示す下側の青色レーザダイオード７１の端子７１１が挿通される第二端子孔９５１及び第一端子孔５５について、回路基板５０の第一端子孔５５の中心位置は、スペーサ９０の第二端子孔９５１の中心位置より下方に配置される。
【００７８】
また、図１２（ａ）及び図１２（ｂ）に示すように、座繰部９５２は、スペーサ９０の第二端子孔９５１と回路基板５０の第一端子孔５５の間に配置される。座繰部９５２の深さｄ２は、スペーサ９０の第二端子孔９５１の深さｄ１と略同じ深さに形成される。座繰部９５２の側壁９５２ａは、第二端子孔９５１の前方口９５１ａよりも、座繰部９５２の中心に対し外側に形成される。よって、座繰部９５２には、側壁９５２ａと第二端子孔９５１及び第一端子孔５５の間に、座繰部９５２の中心から離れた逃げ部である空間Ｓ１が設けられる。
【００７９】
つぎに、励起光照射装置７０の取付方法について説明する。まず、スペーサ９０を回路基板５０に固定するスペーサ固定工程が行われる。スペーサ固定工程で、図９に示すように、スペーサ９０の左固定部９３にあるＬ字突起９３３は、回路基板５０の上方、下方又は左方から、回路基板５０の左端部に対して係合される。スペーサ９０の右固定部９４の基板固定部９４５は、回路基板５０の切欠部５３２ａに前方から挿入される。これにより、スペーサ９０と回路基板５０が固定される。
【００８０】
つぎに、スペーサ９０が固定された回路基板５０を、固定ホルダ７４に固定する、基板固定工程が行われる。青色レーザダイオード７１は、図１０に示すように、固定ホルダ７４の光源固定部７４３に予め挿入されている。よって、青色レーザダイオード７１の複数の端子７１１は、固定ホルダ７４の貫通孔７４５を介して裏面側に突出する。
【００８１】
基板固定工程で、青色レーザダイオード７１の端子７１１が、スペーサ９０の第二端子孔９５１に挿入される。第二端子孔９５１は、図１２に示した前方口９５１ａが後方口９５１ｂよりも大きな径で形成されているため、端子７１１を容易に挿入させることができる。また、後方口９５１ｂは、回路基板５０の第一端子孔５５の略中央に配置される。そのため、スペーサ９０の第二端子孔９５１を挿通した端子７１１を、容易に回路基板５０の第一端子孔５５に挿入させることができる。
【００８２】
青色レーザダイオード７１の端子７１１の第二端子孔９５１及び第一端子孔５５への挿入が終わると、図１０及び図１１に示すように、スペーサ９０の前面は、固定ホルダ７４の横溝７４４ａの底面７５ａと当接する。そして、回路基板５０の固定孔５３５を介して固定ホルダ７４の固定孔７４２ｃに螺子８０３が螺入されて、回路基板５０及びスペーサ９０は固定ホルダ７４に対し固定される。
【００８３】
端子接続工程では、回路基板５０及びスペーサ９０の第二端子孔９５１と第一端子孔５５を挿通した端子７１１が、回路基板５０に形成された回路と電気的に接続される。端子７１１と回路基板５０とは、自動又は手動により半田接合される。自動により接合する場合、例えば、端子７１１の先端側の回路基板５０面を高温半田漕に浸漬させることにより、端子７１１と回路基板５０上のランドに半田を付着させることができる。端子７１１及びランドに付着した半田は、室温において固化し、端子７１１と回路基板５０の回路が接続される。
【００８４】
回路基板５０の第一端子孔５５内に電極を設けた場合等では、溶融した半田は第一端子孔５５内を伝って、青色レーザダイオード７１側、すなわちスペーサ９０側に流入することがある。このような場合であっても、スペーサ９０には、座繰部９５２が設けられているため、流入した半田により、回路基板５０とスペーサ９０との密着が阻害されることを防ぐことができる。また、第一端子孔５５の周縁において、回路基板５０のスペーサ９０側にランド等の電極を配置した場合であっても、座繰部９５２内の空間Ｓ１が確保されているため、回路基板５０とスペーサ９０との密着が阻害されることを防ぐことができる。
【００８５】
ホルダ固定工程では、スペーサ９０及び回路基板５０が固定された固定ホルダ７４が、ヒートシンク８１に対して固定される。固定ホルダ７４は、図５に示すように、螺子８０１が四隅の角に形成された固定孔７４１ａに挿通され、ヒートシンク８１の螺子孔８１５ａに螺入することにより、固定される。
【００８６】
その後、レンズ固定工程において、コリメータレンズアレイ７３は、レンズストッパ７２により固定ホルダ７４の前面側に固定される。レンズストッパ７２は、螺子が固定孔７２６に挿入されてヒートシンク８１の螺子孔８１２ｃ，８１３ｃに螺入されることにより、固定される。
【００８７】
以上、各実施形態で説明したように、光源装置６０及び投影装置１０は、固体発光素子である青色レーザダイオード７１の端子７１１が挿通される第一端子孔５５を有する回路基板５０と、第一端子孔５５より小さい第二端子孔９５１を有するスペーサ９０と、を備える。また、スペーサ９０は、第一端子孔５５に対して第二端子孔９５１を対応させた状態で青色レーザダイオード７１と回路基板５０の間に配置される。そのため、端子７１１は、第一端子孔５５の位置に案内させて、第一端子孔５５に対し容易に挿入させることができる。よって、基板の取り付けを容易に行うことができる。また、第二端子孔９５１の最小径が、第一端子孔５５の径より小さく形成されているため、スペーサ９０の回路基板５０側から青色レーザダイオード７１側へ半田が流出することを防ぐことができる。また、端子７１１と第一端子孔５５のクリアランスを小さくすることができる。
【００８８】
第二端子孔９５１が、青色レーザダイオード７１側の径が回路基板５０側の径より大きく形成される光源装置６０は、第一端子孔５５に直接挿入する場合に比べ、端子７１１を第一端子孔５５に容易に挿入させることができる。また、第二端子孔９５１に対し容易に端子７１１を挿入することができるため、第一端子孔５５をより小さい径とすることができる。よって、第一端子孔５５が形成される上配線部５３３ａや下配線部５３３ｂ等の回路基板５０の板幅を小さくし、熱源である固定ホルダ７４とヒートシンク８１との当接部を多く設けることができる。また、第二端子孔９５１の回路基板５０側の径を小さくすることができるため、半田が第二端子孔９５１の青色レーザダイオード７１側に回り込んで端子７１１同士が短絡することを防ぐことができる。
【００８９】
第二端子孔９５１の最大径が第一端子孔５５の径より大きい光源装置６０は、第一端子孔５５に直接挿入する場合に比べ、端子７１１を第一端子孔５５にさらに容易に挿入させることができる。
【００９０】
スペーサ９０が回路基板５０側に、第一端子孔５５の面積及び第二端子孔９５１の面積より底面積が大きい座繰部９５２を有する光源装置６０は、回路基板５０において、端子７１１の先端側で回路パターンと半田接合させる際に、第一端子孔５５内を伝ってスペーサ９０側に半田が回り込んだ場合であっても、座繰部９５２を半田溜りとして機能させる。そのように半田が第一端子孔５５を介してスペーサ９０側に回り込んだ場合や、回路基板５０のランドがスペーサ９０側の面に設けられた場合であっても、半田や電極がスペーサ９０と干渉することを防ぐことができる。また、座繰部９５２が半田溜りとして機能することにより、半田が青色レーザダイオード７１側に流出することを防ぐことができる。
【００９１】
また、青色レーザダイオード７１の一対の端子７１１に対応する一対の第二端子孔９５１が、一つの座繰部９５２に形成される光源装置６０は、第二端子孔９５１の位置に対応する回路基板５０との空間を、第二端子孔９５１より少ない数の座繰部９５２により形成することができる。よって、座繰部９５２を少ない工数で容易に設けることができる。
【００９２】
また、回路基板５０の片面又は両面において、第一端子孔５５の周縁にランドが形成される光源装置６０は、青色レーザダイオード７１の端子７１１と回路基板５０に形成された回路パターンとを、回路基板５０の片面又は両面において接続させることができる。
【００９３】
また、第一端子孔５５の内壁に電極が形成される光源装置６０は、青色レーザダイオード７１と回路基板５０との回路パターンとを半田接合した場合、広い接合面積を確保することができる。よって、接合強度を増加させることができる。また、接合点における電気抵抗を低減させることができる。
【００９４】
また、スペーサ９０が複数の第二端子孔９５１が形成された矩形長板状の上スペーサ片９２ａと下スペーサ片９２ｂとを有し、上スペーサ片９２ａと下スペーサ片９２ｂとが左固定部９３及び右固定部９４により接続される光源装置６０は、青色レーザダイオード７１の端子７１１が配置される複数位置において、固定ホルダ７４と回路基板５０との間に設けられる端子配置部９５を、一つの部材により構成することができる。また、上スペーサ片９２ａと下スペーサ片９２ｂとの間の空間において、固定ホルダ７４とヒートシンク８１を当接させることができる。
【００９５】
左固定部９３が回路基板５０側に板状の基板押え部９３２と基板押え部９３２から延設されたＬ字突起９３３とを有し、右固定部９４が回路基板５０側にＬ字板状の基板固定部９４５を有する光源装置６０は、スペーサ９０を回路基板５０に対し容易に固定させることができる。
【００９６】
左固定部９３が青色レーザダイオード７１側に左押え板９３１を有し、右固定部９４が青色レーザダイオード７１側に右押え板９４１を有する光源装置６０は、スペーサ９０を回路基板５０に対して容易に固定させることができる。
【００９７】
回路基板５０が複数の第一端子孔５５が形成された矩形長板状の上配線部５３３ａと下配線部５３３ｂとを有し、上配線部５３３ａと下配線部５３３ｂとは、接続板５３４により接続される光源装置６０は、上配線部５３３ａと下配線部５３３ｂとの間の空間において、固定ホルダ７４とヒートシンク８１を当接させることができる。また、回路基板５０の略中央において、回路基板５０を固定ホルダ７４と接続させることができる。
【００９８】
青色レーザダイオード７１が配置されて接続板５３４により回路基板５０が固定される固定ホルダ７４を備える光源装置６０は、固体発光素子、スペーサ９０、回路基板５０を一つの部材として構成することができる。
【００９９】
回路基板５０と、青色レーザダイオード７１と回路基板５０との間に配置されるスペーサ９０と、を備える光源装置６０の基板取付方法は、スペーサ固定工程と、基板固定工程と、端子接続工程と、を含む。基板固定工程では、青色レーザダイオード７１の端子７１１を、回路基板５０の第一端子孔５５より最少径が小さいスペーサ９０の第二端子孔９５１に挿通させて、第一端子孔５５に挿通させる。そのため、回路基板５０の取り付けを容易に行うことができる。
【０１００】
また、回路基板５０として、ガラスエポキシ樹脂等のＰＣＢ（Ｐｒｉｎｔｅｄ  Ｃｉｒｃｕｉｔ  Ｂｏａｒｄ）基板を用いている。そのため、回路基板５０は、高い絶縁耐圧を有する。したがって、回路基板５０上のパターン間に高い電圧が印加された場合であっても、絶縁破壊を防ぐことができる。
【０１０１】
以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【０１０２】
また、本実施形態では、一つの青色レーザダイオード７１に対して二つの端子７１１を有していたため、スペーサ９０に設けられた一つの座繰部９５２には、第二端子孔９５１及び第一端子孔５５が二つずつ設けられたが、青色レーザダイオード７１等の一つの発光素子が三つ以上端子を有している場合も、一つの座繰部９５２に対して三つ以上の端子孔を設けてもよい。また、二つ以上の発光素子の端子を一つに座繰部に対応する複数の端子孔に挿通させて、回路基板５０の回路と接続させてもよい。
【０１０３】
また、本実施形態のスペーサ９０の第二端子孔９５１は、青色レーザダイオード７１側である前方口５５ａの径が回路基板５０側である後方口９５１ｂの径より大きいテーパ状としたが、テーパ状としなくてもよい。例えば、第二端子孔９５１内の途中において最少径を有してもよい。また、第一端子孔５５の径より小さければ、青色レーザダイオード７１側に位置する第二端子孔９５１の前方口９５１ａの径と回路基板５０側に位置する後方口９５１ｂの径とを同じとなるように形成してもよい。
【０１０４】
また、本実施形態において、座繰部９５２は、一つの青色レーザダイオード７１の端子７１１の第二端子孔９５１に対応して設けたが、複数の青色レーザダイオード７１の端子７１１が挿通される複数の第二端子孔９５１を含むように設けてもよい。例えば、図７（ｂ）において、座繰部９５２は、上スペーサ片９２ａ又は下スペーサ片９２ｂにおいて、それぞれ八つの第二端子孔９５１が含まれる長丸状に形成することができる。これにより、座繰部９５２を設けるための工数を低減させることができる。
【０１０５】
以下に、本願出願の最初の特許請求の範囲に記載された発明を付記する。
［１］  固体発光素子の端子が挿通される第一端子孔を有する回路基板と、
前記第一端子孔より小さい第二端子孔を有して、前記第一端子孔に対して当該第二端子孔を対応させた状態で前記固体発光素子と前記回路基板の間に配置されるスペーサと、
を備えることを特徴とする光源装置。
［２］  前記第二端子孔は、前記固体発光素子側の径が前記回路基板側の径より大きく形成されていることを特徴とする上記［１］に記載の光源装置。
［３］  前記第二端子孔の最大径は、前記第一端子孔の径より大きいことを特徴とする上記［１］又は上記［２］に記載の光源装置。
［４］  前記スペーサは、前記回路基板側に、前記第一端子孔の面積及び前記第二端子孔の面積より底面積が大きい座繰部を有することを特徴とする上記［１］乃至上記［３］の何れかに記載の光源装置。
［５］  前記固体発光素子の一対の前記端子に対応する一対の前記第二端子孔は、一つの前記座繰部に形成されることを特徴とする上記［４］に記載の光源装置。
［６］  前記回路基板の片面又は両面において、前記第一端子孔の周縁にランドが形成されることを特徴とする上記［１］乃至上記［５］の何れかに記載の光源装置。
［７］  前記第一端子孔の内壁に電極が形成されることを特徴とする上記［１］乃至上記［６］の何れかに記載の光源装置。
［８］  前記スペーサは、複数の前記第二端子孔が形成された矩形長板状の上スペーサ片と下スペーサ片とを有し、
前記上スペーサ片と前記下スペーサ片とは、左固定部及び右固定部により接続される、
ことを特徴とする上記［１］乃至上記［７］の何れかに記載の光源装置。
［９］  前記左固定部は、前記回路基板側に板状の基板押え部と、前記基板押え部から延設されたＬ字突起と、を有し、
前記右固定部は、前記回路基板側にＬ字板状の基板固定部を有する、
ことを特徴とする上記［８］に記載の光源装置。
［１０］  前記左固定部は、前記固体発光素子側に左押え板を有し、
前記右固定部は、前記固体発光素子側に右押え板を有する、
ことを特徴とする上記［８］又は上記［９］に記載の光源装置。
［１１］  前記回路基板は、複数の前記第一端子孔が形成された矩形長板状の上配線部と下配線部とを有し、
前記上配線部と前記下配線部とは、接続板により接続される、
ことを特徴とする上記［１］乃至上記［１０］の何れかに記載の光源装置。
［１２］  前記固体発光素子が配置されて前記接続板により前記回路基板が固定される固定ホルダを備えることを特徴とする上記［１１］に記載の光源装置。
［１３］  上記［１］乃至上記［１２］の何れか記載の光源装置と、
前記光源装置からの光源光が照射され、画像光を形成する表示素子と、
前記表示素子から出射された前記画像光をスクリーンに投影する投影側光学系と、
前記表示素子と前記光源装置を制御する投影装置制御部と、
を有することを特徴とする投影装置。
［１４］  回路基板と、固体発光素子と前記回路基板との間に配置されるスペーサと、を備える光源装置の基板取付方法であって、
前記スペーサを前記回路基板に固定するスペーサ固定工程と、
前記固体発光素子の端子を、前記回路基板の第一端子孔より最少径が小さい前記スペーサの第二端子孔に挿通させて、前記第一端子孔に挿通させる基板固定工程と、
前記端子を前記回路基板に形成された回路と半田接合する端子接続工程と、
を含むことを特徴とする光源装置の基板取付方法。
【符号の説明】
【０１０６】
１０  投影装置                            １１  上面パネル
１２  正面パネル                          １３  背面パネル
１４  右側パネル                          １５  左側パネル
１７  排気孔                              １８  吸気孔
１９  レンズカバー                        ２１  入出力コネクタ部
２２  入出力インターフェース              ２３  画像変換部
２４  表示エンコーダ                      ２５  ビデオＲＡＭ
２６  表示駆動部                          ３１  画像圧縮／伸長部
３２  メモリカード                        ３５  Ｉｒ受信部
３６  Ｉｒ処理部                          ３７  キー／インジケータ部
３８  制御部                              ４１  光源制御回路
４３  冷却ファン駆動制御回路              ４５  レンズモータ
４７  音声処理部                          ４８  スピーカ
５０  回路基板                            ５１  表示素子
５２  電源接続部                          ５３  光源接続部
５５  第一端子孔                          ５５ａ  前方口
５５ｂ  後方口                            ６０  光源装置
７０  励起光照射装置                      ７１  青色レーザダイオード
７２  レンズストッパ                      ７３  コリメータレンズアレイ
７４  固定ホルダ                          ７５ａ〜７５ｄ  底面
７６  反射ミラー                          ７８  拡散板
８０  緑色光源装置                        ８１  ヒートシンク
９０  スペーサ                            ９１  非干渉孔
９２ａ（９２）  上スペーサ片              ９２ｂ（９２）  下スペーサ片
９３  左固定部                            ９３ａ  面
９４  右固定部                            ９４ａ  面
９５  端子配置部
１００  蛍光板装置                        １０１  蛍光板
１１０  モータ                            １１５  集光レンズ
１１７  集光レンズ群                      １２０  赤色光源装置
１２１  赤色光源                          １２５  集光レンズ群
１３０  ヒートシンク                      １４０  導光光学系
１４１  第一ダイクロイックミラー          １４３  第一反射ミラー
１４５  第二反射ミラー                    １４６  集光レンズ
１４７  集光レンズ                        １４８  第二ダイクロイックミラー
１４９  集光レンズ                        １７０  光源側光学系
１７３  集光レンズ                        １７５  ライトトンネル
１７８  集光レンズ                        １７９  光軸変換ミラー
１８３  集光レンズ                        １８５  照射ミラー
１９０  ヒートシンク                      １９５  コンデンサレンズ
２２０  投影側光学系                      ２２５  固定レンズ群
２３５  可動レンズ群                      ２４１  制御回路基板
５２１  コネクタ                          ５２２  固定孔
５３１  貫通孔                            ５３１ａ  貫通孔
５３１ｂ  貫通孔                          ５３２ａ  切欠部
５３２ｂ  切欠部                          ５３３  配線部
５３３ａ  上配線部                        ５３３ｂ  下配線部
５３４  接続板                            ５３５  固定孔
５４１ａ，５４１ｂ  切欠部                ５４２ａ，５４２ｂ  切欠部
７１１  端子                              ７２１  前板
７２２  側板                              ７２２ａ  側板
７２２ｂ  側板                            ７２３  レンズ孔
７２３ａ  固定突起                        ７２４  貫通孔
７２５  切欠部                            ７２６  固定孔
７３１（７３１ａ，７３１ｂ）  レンズ部    ７４１  固定溝
７４１ａ  固定孔                          ７４２ａ〜７４２ｃ  固定孔
７４３  光源固定部                        ７４４  横溝
７４４ａ  横溝                            ７４４ｂ  横溝
７４４ｃ  円形溝                          ７４４ｄ  横溝
７４５  貫通孔                            ７４６ａ  右縦溝
７４６ｂ  左縦溝                          ７４７  中央縦溝
８０１〜８０３  螺子                      ８０４  板バネ
８０４ａ  屈曲部                          ８１１  コ字枠部
８１１ａ  フィン                          ８１１ｂ  内面
８１１ｃ  内面                            ８１２  Ｌ字枠部
８１２ａ，８１２ｂ  フィン                ８１２ｃ  螺子孔
８１３  フランジ部                        ８１３ａ  螺子孔
８１３ｃ  螺子孔                          ８１４  ダクト板
８１５  載置面                            ８１５ａ  螺子孔
８１５ｂ  横溝
９２１  裏面                              ９３１  左押え板
９３２  基板押え部                        ９３３（９３３ａ，９３３ｂ）  Ｌ字突起
９３３ｃ  面                              ９３３ｄ  後面
９３４  切欠部                            ９４１  右押え板
９４２  溝部                              ９４３  貫通孔
９４４  境界部                            ９４５  基板固定部
９４５ａ  面                              ９４５ｄ  後面
９５１  第二端子孔                        ９５１ａ  前方口
９５１ｂ  後方口                          ９５２  座繰部
９５２ａ  側壁                            ９５３  底面
Ｓ１  空間
【図１】
0006731142.tif 000002
【図２】
0006731142.tif 000003
【図３】
0006731142.tif 000004
【図４】
0006731142.tif 000005
【図５】
0006731142.tif 000006
【図６】
0006731142.tif 000007
【図７】
0006731142.tif 000008
【図８】
0006731142.tif 000009
【図９】
0006731142.tif 000010
【図１０】
0006731142.tif 000011
【図１１】
0006731142.tif 000012
【図１２】
0006731142.tif 000013